(57)【要約】【課題】  ダンボール板のみにより構成され、収納スペースも小さく、安定した座り姿勢を維持できるダンボール製座椅子を提供すること。【解決手段】  背もたれ支持板と、該背もたれ支持板の両側縁の左右支持板を同じ側に折り曲げ、これら左右支持板を連結板により連結して背もたれ支持部材を形成し、帯状基板を２つ折りにして下側の底面部と上側の座面部を形成し、上記底面部上の所定位置に上記背もたれ支持部材を立設し、上記底面部より後方側の上記帯状基板を上記背もたれ支持板側に折り曲げてその一端の下側係合片を背もたれ支持板のスリットに係合し、上記座面部より後方側の上記帯状基板を上記左右支持板の前縁に沿って位置させることで背もたれ部を形成し、該背もたれ部より後方側の上記帯状基板を背もたれ支持板側に折り曲げてその一端の上側係合片を上記スリットに係合することにより構成する。【選択図】図７
2008148913.tif 000002
【特許請求の範囲】
【請求項１】
ダンボール板により構成されるダンボール製座椅子であって、
背もたれ支持板と、該背もたれ支持板の両側縁に延在する左右支持板を同じ側に折り曲げ、これら左右支持板を連結板により連結することにより背もたれ支持部材を形成し、
かつ上記背もたれ支持板の板面に左右方向のスリットを貫設し、
帯状基板を２つ折りにして下側の底面部と上側の座面部を形成し、上記底面部上の所定位置に上記背もたれ支持部材をその左右支持板の前縁を上記基板の上記座面部の方向に向けて立設し、
かつ上記底面部より後方側の上記帯状基板を上記背もたれ支持板側に折り曲げてその一端の下側係合片を上記スリットに係合し、
かつ上記座面部より後方側の上記帯状基板を上記左右支持板の前縁に沿って位置させることで背もたれ部を形成し、さらに該背もたれ部より後方側の上記帯状基板を背もたれ支持板側に折り曲げてその一端の上側係合片を上記スリットに係合することにより構成されるダンボール製座椅子。
【請求項２】
上記帯状基板は、長手方向に沿って上記上側係合片、上記背もたれ支持板のスリット形成位置より上側の後面に接する後面上部、上記背もたれ部、上記座面部、上記底面部、上記背もたれ支持板のスリット形成位置より下側の後面に接する後面下部、及び上記下側係合片に区分けされ、各部は折目線によって区切られているものであることを特徴とする請求項１記載のダンボール製座椅子。
【請求項３】
上記上下係合片は、上記背もたれ支持板に対して略直角方向に上記スリットに挿入係合しているものであることを特徴とする請求項１又は２記載のダンボール製座椅子。
【請求項４】
上記帯状基板の少なくとも上記座面部及び背もたれ部に滑り止め加工を施したものであることを特徴とする請求項１〜３の何れかに記載のダンボール製座椅子。
【発明の詳細な説明】
【技術分野】
【０００１】
本発明は避難所等での使用に好適なダンボール製座椅子に関するものである。
【背景技術】
【０００２】
自然災害等の避難生活において、体育館等の広い場所での生活を強いられる場合があるが、かかる避難生活等において簡易な座椅子があれば少しでも楽な姿勢で休息することができる。
【０００３】
従来、このようなケースで使用し得ると考えられる簡易な座椅子として、ダンボール板を折り曲げて座面と背もたれを構成し、背もたれの背面に支え板を取り付けたもの（特許文献１）、同じダンボール板を折り曲げて座面と背もたれを構成し、背もたれの一部を座面に差し込んで使用する構成のもの（特許文献２）等が提案されている。
【０００４】
また、ダンボール板ではないが、樹脂製シートの周囲に金属製のパイプを収容したものを折り曲げて座面と背もたれを構成する折り畳み可能な座椅子が提案されている（特許文献３，４）。
【０００５】
【特許文献１】特開平８−１６４０３２号公報
【特許文献２】実公平７−１００２号公報
【特許文献３】特許第２８９６６４４号公報
【特許文献４】実用新案登録第３０６９９９０号公報
【発明の開示】
【発明が解決しようとする課題】
【０００６】
ところで、特許文献１、２に示す従来のダンボール製座椅子は、比較的簡易な構造ではあるが、座面に人が座ると、座面に対して足先方向の力が加わるため、背もたれに対してその下縁を支軸として後方向に回転する力が加わり、座ったときの安定性が低く、また、背もたれに後方向への力が加わることにより、背もたれ支持部のダンボールが折れ曲がる等により座椅子としての機能が失われるおそれもある。
【０００７】
また、特許文献３，４の座椅子は樹脂製シートと金属製パイプによるものであるため、部品点数が多く構成が複雑であるため、一旦分解すると組み立てが面倒であり、かつ広い収納スペースが必要であるので、例えば長期間一定箇所に保管しておく必要のある非常事態用の座椅子としては不適であった。
【０００８】
本発明は上記従来の課題に鑑みてなされたものであり、ダンボール板のみにより構成されたものであって、収納スペースも小さくて済み、安定した座り姿勢を維持できるダンボール製座椅子を提供することを目的とする。
【課題を解決するための手段】
【０００９】
上記の目的を達成するため本発明は、
第１に、ダンボール板により構成されるダンボール製座椅子であって、背もたれ支持板と、該背もたれ支持板の両側縁に延在する左右支持板を同じ側に折り曲げ、これら左右支持板を連結板により連結することにより背もたれ支持部材を形成し、かつ上記背もたれ支持板の板面に左右方向のスリットを貫設し、帯状基板を２つ折りにして下側の底面部と上側の座面部を形成し、上記底面部上の所定位置に上記背もたれ支持部材をその左右支持板の前縁を上記基板の座面部の方向に向けて立設し、かつ上記底面部より後方側の上記帯状基板を上記背もたれ支持板側に折り曲げてその一端の下側係合片を上記スリットに係合し、かつ上記座面部より後方側の上記帯状基板を上記左右支持板の前縁に沿って位置させることで背もたれ部を形成し、さらに該背もたれ部より後方側の上記帯状基板を背もたれ支持板側に折り曲げてその一端の上側係合片を上記スリットに係合することにより構成されるダンボール製座椅子によりなるものである。
【００１０】
このように構成すると、上記座面上に人が座った状態において、上側係合片に作用するに力と、下側係合片に作用する力がバランスするため、上記人が座った状態において背もたれ支持部材が安定し、座椅子として安定した状態で座ることができる。尚、上記スリットは、上記背もたれ支持板の略中央部に設けることが力のバランス上好ましい。
【００１１】
第２に、上記帯状基板は、長手方向に沿って上記上側係合片、上記背もたれ支持板のスリット形成位置より上側の後面に接する後面上部、上記背もたれ部、上記座面部、上記底面部、上記背もたれ支持板のスリット形成位置より下側の後面に接する後面下部、及び上記下側係合片に区分けされ、各部は折目線によって区切られているものであることを特徴とする上記第１記載のダンボール製座椅子により構成される。
【００１２】
このように構成すると、安定して座ることのできるダンボール製座椅子を、背もたれ支持部材、その連結板、帯状基板という極めて少ない部品点数で実現することができ、組み立ても容易であり、収納効率も高い座椅子を実現し得る。
【００１３】
第３に、上記上下係合片は、上記背もたれ支持板に対して直角方向に上記スリットに挿入係合しているものであることを特徴とする上記第１又は２記載のダンボール製座椅子により構成される。
【００１４】
このように構成すると、上下係合片の抜けを防止して、容易に形崩れしないダンボール製座椅子を構成することができる。
【００１５】
第４に、上記帯状基板の少なくとも上記座面部及び背もたれ部に滑り止め加工を施したものであることを特徴とする上記第１〜３の何れかに記載のダンボール製座椅子により構成される。
【００１６】
滑り止め加工を施すことにより、安定した座り姿勢を維持することができる。
【発明の効果】
【００１７】
本発明は上述のように、安定した座り姿勢を維持できると共に構成が簡単で組み立て容易で、かつ収納効率の高いダンボール製座椅子を実現し得るものである。
【００１８】
また、本発明のダンボール製座椅子は、ダンボール製でありながら、背もたれ支持部材、連結板、帯状基板という極めて少ない部品で構成することができるものである。
【００１９】
また、本発明のダンボール製座椅子は、座面に加わる力を背もたれ支持部材の後面側でバランスさせることにより、人が座った状態においても、常に安定した状態を維持することができる、容易形崩れしないという効果がある。
【００２０】
また、帯状基板を背もたれ支持部材から外してマットとしても使用することができる。
【発明を実施するための最良の形態】
【００２１】
図１は、本発明に係るダンボール製座椅子のダンボール製帯状基板１を示すものであり、長方形状の１枚のダンボール板により構成されている。
【００２２】
この帯状基板１の板面は、座椅子の底面を形成する最も面積の広い底面部１ａと、該底面部１ａの一方側に設けられ座椅子の座面を形成する座面部１ｂと、該座面部１ｂに隣接して設けられ座椅子の背もたれを形成する背もたれ部１ｃと、該背もたれ部１ｃに隣接して形成され座椅子の後面の上側を形成する後面上部１ｄと、該後面上部１ｄに隣接して形成され、後述の背もたれ支持板３ａのスリット８に係合する上側係合片１ｅと、上記底面部１ａの他方側に設けられ、座椅子の後面の下側を形成する後面下部１ｆと、該後面下部１ｆに隣接して形成され、後述の背もたれ支持板３ａのスリット８に係合する下側係合片１ｇにより構成されている。
【００２３】
上記各面は底面部１ａが最も面積が広く、座面部１ｂ、背もたれ部１ｃ、後面下部１ｆ、後面上部１ｄの順に面積が小さく形成されており、上記上下係合片１ｅ，１ｇは最も面積が小さく形成されている。
【００２４】
上記底面部１ａと座面部１ｂとの間には長手方向と直交する凹状の折目線２ａが形成され、上記座面部１ｂと背もたれ部１ｃとの間には長手方向と直交する凹状の折目線２ｂが設けられ、上記背もたれ部１ｃと上記後面上部１ｄとの間には長手方向と直交する凹状の折目線２ｃが形成され、上記後面上部１ｄと上記上側係合片１ｅとの間には長手方向と直交する凹状の折目線２ｄが形成され、上記底面片１ａと上記後面下部１ｆとの間には長手方向と直交する折目線２ｅが形成され、上記後面下部１ｆと下部係合片１ｇとの間には長手方向に直交する折目線２ｆが形成されている。即ち、上記帯状基板１は、長手方向に沿って上記上側係合片１ｅ、上記背もたれ支持板３ａのスリット形成位置より上側の後面に接する後面上部１ｄ、上記背もたれ部１ｃ、上記座面部１ｂ、上記底面部１ａ、上記背もたれ支持板３ａのスリット形成位置より下側の後面に接する後面下部１ｆ、及び上記下側係合片１ｇに区分けされ、各部は折目線２ｄ，２ｃ，２ｂ，２ａ，２ｅ，２ｆによって区切られているものである。そして、上記各面は上記折目線２ａ乃至２ｆに沿って適宜の方向（山折又は谷折）に折り曲げ可能に構成されている。
【００２５】
図２に示すものは、本発明に係るダンボール製座椅子の背もたれ支持部材３とその連結板１０を示すものであり、何れもダンボール板により構成されている。上記背もたれ支部部材３は、後面を形成する略二等辺三角形状をなす背もたれ支持板３ａと、該支持板３ａの二等辺を形成する折目線４ａ，４ｂを介して当該背もたれ支持板３ａの両側に隣接して設けられた三角形状の左右支持板３ｂ、３ｂ’により構成されており、全体的には、上記背もたれ支持板３ａの底辺５、上記左右支持板部３ｂ，３ｂ’の底辺６，６’、及び上記左右支持板部３ｂ，３ｂ’の背もたれ受け辺（前縁）７，７’からなる略五角形状をなすものである。この背もたれ支持部材３は、中心線ｐを境界として左右対称形状をなし、上記底辺６，６’は上記底辺５に対して前方に向けて９０度以下の角度θ１（本実施形態では約４０度）を以って形成されており、上記左右支持板３ｂ，３ｂ’を内側方向（同じ方向）に所定角度に折り曲げたとき、図６に示すように底辺５，６，６’を以って安定して立設し得るように構成されている。即ち、上記左右支持板３ｂ，３ｂ’は上記折目線４ａ，４ｂを境界として内側に折り曲げることにより、図６に示す状態で、上記背もたれ支部板３ａの底辺５、上記左右支部板３ｂ，３ｂ’の底辺６，６’を床面に接した状態で立設可能であり、座椅子の背もたれ部１ｃを支持する機能を有するものである。
【００２６】
尚、ここで、図１において底面部１ａを中心として上側係合片１ｅ方向を前方、下側係合片１ｇ方向を後方、図２において左側（上辺７”方向）を前方、右側（底辺５方向）を後方、図１、図２において前方又は後方に直交する方向を左右方向という。
【００２７】
上記背もたれ支持板３ａの板面の中央より少し前方よりの位置には左右方向に上記係合片挿入用のスリット８が貫通形成されている。このスリット８は、上記折目線４ａ，４ｂを介して上記左右支持板３ｂ，３ｂ’の板面にもスリット８ａ，８ｂが連続的に形成されているが、スリット８ａ，８ｂは上記折目線４ａ，４ｂに対して直交するように切り込み形成されている（図６参照）。これにより、当該支持板３の組み立て後の立設時において、上記スリット８ａ，８ｂは図７に示すように、上記後方斜面３ａ’に対して直角方向に位置するため、上記係合片１ｅ，１ｇをスリット８に挿入したとき、背もたれ支持板３ａに対して直交状態となり、係合片１ｅ、１ｇの抜けを確実に防止し得る。上記係合片１ｅ，１ｇは上記スリット８に対して上記背もたれ支持板３ａ表面３ａ’を基準としてより鋭角的に挿入されるように構成しても良く、略直角であれば、直角より小さい角度であっても良い。
【００２８】
後述のようにこのスリット８，８ａ，８ｂには上記上側係合片１ｅと下側係合片１ｇが係合するものであるが、このとき上記上側係合片１ｅに作用する力と上記下側係合片１ｇに作用する力を均衡させる必要がある（図９参照）。このため、上記背もたれ支持板３ａにおいて、上記スリット８，８ａ，８ｂの設置位置を上記各力の均衡する位置に設定する必要がある。よって、上記各力が均衡する位置に設けることが必要となるが、本実施形態のような構成の場合は、上記各力の均衡という観点からすると、上記背もたれ支持板３ａの前後方向（立設時は上下方向）の中間部よりやや前方（上方）よりの略中間位置に設けることが好ましい。
【００２９】
上記左右支持板３ｂ，３ｂ’の前方側の辺（前縁７，７’）には左右対称位置に直線状スリット９，９’が形成されている。尚、この背もたれ支持部材３はその組み立て立設状態において、図１１に示すように、その左右方向の幅は、上記帯状基板１の左右幅より若干狭いか、略同一の幅となるように構成されている。
【００３０】
上記連結板１０は、上記支持部材３の組み立て時に、上記スリット９，９’に挿入するためのものであり、長方形状の小板状をなし、長手方向の一側には上記スリット９，９’に挿入係合するためのスリット１０ａ，１０ｂが形成されている。この連結板１０は、上記背もたれ支持部材３を立設させた状態において（図６参照）、上記スリット１０ａ，１０ｂを上記背もたれ支持部材３のスリット９，９’に挿入嵌合することにより、上記背もたれ支持部材３の立設状態において上記左右支持板部３ｂ，３ｂ’を連結する機能を有し、当該支持板部３ｂ，３ｂ’の開きを阻止するものである。また、この連結板１０の上記スリット９，９’への挿入係合状態において、上記連結板１０の上記前縁１０’は、上記左右支持板部３ｂ，３ｂ’の背もたれ受け辺７，７’よりも前方に突出することがないように形成されている（図１０参照）。
【００３１】
図８において、１２は上記ダンボール製基板１の表面に施された滑り止め加工を示す。具体的には、上記ダンボール製帯状基板１の座面を構成する表面側（人が座る側）に、滑り止め塗料を塗布、或は滑り止め用のインクを印刷することにより行われる。この滑り止め加工は、図７に示すようにダンボール製基板１の人が座る方の面であって、上記座面部１ｂ及び背もたれ部１ｃに施すことが好ましい。尚、その他の面（例えば底面１ａの床面側等）に施しても良い。
【００３２】
本発明は上述のように構成されるものであるから、次に組み立て方法を説明する。
【００３３】
まず、背もたれ支持部材３を組み立てる。図６に示すように背もたれ支持部材３の折目線４ａ，４ｂから左右支持板３ｂ，３ｂ’を前方に同一方向に折り曲げ、当該支持板３を立設する。その後、連結板１０のスリット１０ａ，１０ｂを各々背もたれ支持部材３の前方のスリット９，９’に挿入し、当該連結板１０を以って上記左右支持板３ｂ，３ｂ’を連結する。この状態においては、左右支持板３ｂ，３ｂ’は背もたれ支持板３ａに対して９０度よりやや広い角度（約１００度）の角度で固定され、当該背もたれ支持部材３は安定した立設状態となる（図１０参照）。
【００３４】
次に、図３に示すように、帯状基板１をその折目線２ａに沿って谷折りし（２つ折りし）、その後、折目線２ｂを山折り、折目線２ｃを谷折り、折目線２ｄを谷折りして座椅子の上面側を形成し、さらに、折目線２ｅを谷折り、折目線２ｆを谷折りすることにより、座椅子の後面側を図４に示すように形成する。
【００３５】
その後、背もたれ支持部材３の底辺５を上記基板１の折目線２ｅに合わせることにより、上記底面部１ａ上の所定位置に上記背もたれ支持部材３をその左右支持板３ｂ，３ｂ’の前縁７，７’を上記帯状基材１の上記座面部１ｂの方向に向けて立設し、その状態で、底面部１ａと座面部１ｂを接合させ、かつ座面部１ｂよりも後方側の背もたれ部１ｃを背もたれ支持板３ａの背もたれ受け片７，７’に接触させ、かつ背もたれ部１ｃより後方側の上記後面上部１ｄを背もたれ支持板３ａ方向に折り曲げ、折目線２ｃを上辺７”に接触させ、上側係合片１ｅを背もたれ支持板３ａのスリット８，８ａ，８ｂに挿入して、上記後面上部１ｄを支持板３の後面支持部３ａの上側に接合させる。その後、帯状基板１の底面部１ａより後方側の後面下部１ｆを上記背もたれ支持板３ａ方向に折り曲げて、その下側係合片１ｇを上記背もたれ支持板３ａの上記スリット８，８ａ，８ｂに挿入して、上記後面下部１ｆを上記背もたれ支持板３ａの下側に接合させる。これにより図７に示すような座椅子を形成することができる。
【００３６】
この座椅子の完成状態においては、図７に示すように、背もたれ部１ｃは座面部１ｂの水平面に対して９０度よりやや広い角度θ２（約１０５度）で後方に傾斜した状態となり、図９に示すように人が座った状態において、その背中が自然な姿勢で背もたれ部１ｃに接触し、楽な姿勢で座ることができる。
【００３７】
また、当該座椅子に人が座った場合に、底面１ａにつま先方向（矢印Ｃ方向）の力が加わるが、この力は、上記背もたれ部１ｃ、後面上部１ｄを介して上記上側係合片１ｅに伝わるため、当該係合片１ｅを介して矢印Ｄ方向の力となって、上記背もたれ支持部材３を矢印Ａ方向に回動させようとする力が作用する。一方、上記矢印Ｃ方向の力は、上記底面部１ａから後面下部１ｆ、上記下側係合片１ｇに伝わるため、当該係合片１ｇを介して矢印Ｅ方向の力（矢印Ｄ方向とは逆向き）となって、上記背もたれ支持部材３を矢印Ａとは逆方向の矢印Ｂ方向に回動させようとする力が作用する。そして、上記係合片１ｅ，１ｇの係合位置（スリット８の位置）は、上記力（矢印Ａ方向の力と矢印Ｂ方向の力、或は矢印Ｄ方向の力と矢印Ｅ方向の力）が略均衡する位置に設けられているので、上記矢印Ａ方向の力と上記矢印Ｂ方向の力、及び上記矢印Ｄ方向の力と上記矢印Ｅ方向の力がバランスして打ち消しあい、結果として、人が座った状況において、背もたれ支持部材３が前後方向に回動することがなく、非常に安定した状態を維持することができる。
【００３８】
また、上記上下の係合片１ｅ，１ｇは上記背もたれ支持部材３の背もたれ支持板３ａに対して直角方向に係合しているので、当該係合片１ｅ，１ｇに対して上記矢印Ｄ方向又は矢印Ｅ方向の力が加わってもこれらの係合片１ｅ，１ｇは容易にスリット８から抜けることはない。尚、上記帯状基板１を上記背もたれ支持部材３の上端部Ｆ（折目線２ｃ）にて屈曲し、さらに上記帯状基板１を上記背もたれ支持部材３の後端部Ｇ（折目線２ｅ）にて屈曲することにより、上記屈曲部Ｆ，Ｇにて力を分散し、結果として上記上下の係合片１ｅ，１ｇに加わる力（上記Ｄ、Ｅ）を弱めることにより、上記係合片１ｅ，１ｇの上記スリット８からの抜けを効果的に抑制している。
【００３９】
以上のように本発明は、安定した座り姿勢を維持できると共に構成が簡単で組み立てが容易で、かつ収納効率の高いダンボール製座椅子を実現したものである。
【００４０】
また、本発明のダンボール製座椅子は、ダンボール製でありながら、背もたれ支部部材３、連結板１０、帯状基板１という極めて少ない部品で構成することができるものである。
【００４１】
また、本発明のダンボール製座椅子は、座面に加わる力を背もたれ支持部材３の後面側でバランスさせることにより、人が座った状態においても、常に安定した状態を維持することができ、容易に形崩れしないという効果がある。即ち、上記スリット８に係合する上側係合片１ｅに働く上方向きの力（矢印Ｄ方向）と、上記スリット８に係合する下側係合片１ｇに働く下側向きの力（矢印Ｅ方向）を、当該スリット８部分でキャンセルすることができ、結果として人が座った状態において、座椅子として非常に安定した状態を維持し得るものである。
【００４２】
また、例えば就寝時は、上記背もたれ支持部材３から帯状基板１を外して、帯状に載置することにより、就寝用のマットとしても使用することができるという効果をも奏するものである。
【００４３】
上記帯状基板１は１枚のダンボール板により構成したが、上記折目線２ａを境界として上側と下側の２枚のダンボール板により構成しても良い。
【００４４】
本発明に係るダンボール製座椅子のダンボール板の厚みは、強度の面からするとダブルフルートが好ましいが、これに限定されない。また、プラスチックダンボールにより構成することも可能である。
【産業上の利用可能性】
【００４５】
本発明のダンボール製座椅子は、例えば自然災害時の避難場所等の広い場所において、避難者の安息のために極めて有効に使用し得るものである。
【図面の簡単な説明】
【００４６】
【図１】本発明に係るダンボール製座椅子の帯状基板の展開状態の平面図である。
【図２】（ａ）は同上座椅子の連結板の平面図、（ｂ）は同上座椅子の背もたれ支持部材の展開状態の平面図である。
【図３】同上座椅子の帯状基板の組み立て過程を示す斜視図である。
【図４】同上座椅子の帯状基板の組み立て過程を示す斜視図である。
【図５】同上座椅子の背もたれ支持部材の組み立て過程を示す斜視図である。
【図６】同上座椅子の背もたれ支持部材の組み立て過程を示す斜視図である。
【図７】同上座椅子の組み立て状態の側面図である。
【図８】同上座椅子の滑り止め加工の状態を示す断面図である。
【図９】同上座椅子に人が座った状態を示す側面図である。
【図１０】同上座椅子の背もたれ支持部の組み立て状態の平面図である。
【図１１】同上座椅子の組み立て状態の平面図である。
【符号の説明】
【００４７】
１            帯状基板
１ａ          底面部
１ｂ          座面部
１ｃ          背もたれ部
１ｄ          後面上部
１ｅ          上側係合片
１ｆ          後面下部
１ｇ          下側係合片
２ａ〜２ｆ    折目線
３            背もたれ支持部材
３ａ          背もたれ支持板
３ｂ，３ｂ’  左右支持板
７，７’      背もたれ受け辺
８            スリット
８ａ，８ｂ    スリット
１２          滑り止め加工
【図１】
2008148913.tif 000003
【図２】
2008148913.tif 000004
【図３】
2008148913.tif 000005
【図４】
2008148913.tif 000006
【図５】
2008148913.tif 000007
【図６】
2008148913.tif 000008
【図７】
2008148913.tif 000009
【図８】
2008148913.tif 000010
【図９】
2008148913.tif 000011
【図１０】
2008148913.tif 000012
【図１１】
2008148913.tif 000013